(57)【要約】【課題】デジタルカメラや携帯電話機等の携帯電子機器に取り付けられるストラップであって、携帯電子機器に接続したケーブルが携帯電子機器から抜けることを防止できるストラップを提供する。【解決手段】ストラップ４０は、カメラ１０のストラップ取付部３０に取り付けられ、そのカメラ１０には、ＵＳＢケーブル３８が着脱自在に接続される。ストラップ４０にはホルダ４４が設けられ、このホルダ４４によってＵＳＢケーブル３８が挟持される。【選択図】    図２
2006173308.tif 000002
【特許請求の範囲】
【請求項１】
携帯電子機器に取り付けられるストラップにおいて、
前記携帯電子機器に接続されるケーブルの抜け止め部を有することを特徴とする携帯電子機器用のストラップ。
【請求項２】
前記抜け止め部は、前記ケーブルを挟持するホルダであることを特徴とする請求項１に記載の携帯電子機器用のストラップ。
【請求項３】
前記ホルダは、前記ケーブルを複数本束ねた状態で挟持することを特徴とする請求項２に記載の携帯電子機器用のストラップ。
【請求項４】
前記抜け止め部は、紐状或いはベルト状のストラップ本体によって狭窄可能に形成されたリング部であり、該リング部に前記ケーブルを挿通させて狭窄することによって前記ケーブルを保持することを特徴とする請求項１に記載の携帯電子機器用のストラップ。
【請求項５】
前記ストラップ本体は、前記リング部の内側に前記ケーブルとの摩擦を増加する摩擦増加手段を設けたことを特徴とする請求項４に記載の携帯電子機器用のストラップ。
【発明の詳細な説明】
【技術分野】
【０００１】
本発明は携帯電子機器用のストラップに係り、特に携帯電話機やデジタルカメラ等の携帯電子機器に取り付けられるストラップに関する。
【背景技術】
【０００２】
デジタルカメラには一般に、電源入力端子、ＵＳＢ端子、ビデオ端子等が設けられ、これらの端子にそれぞれＡＣアダプター、ＵＳＢケーブル、ビデオケーブルが接続される。ＵＳＢケーブルやビデオケーブルがカメラに接続されると、カメラから外部装置に映像データが送信される。また、ＡＣアダプターが接続されると、データの送信中に電源が切れることを防止できる。
【０００３】
ところで、データの送信中に各ケーブルが各端子から抜けてしまうと、通信が切断されたり、電源が切れたりして、データが破壊されるおそれがある。このため、特許文献１では、装置本体にケーブル類の巻きかけ用フックを設け、このフックにケーブル類を巻きかけることによってケーブル類が抜けることを防止している。また、特許文献２では抜止具を用い、ケーブル類を隣接のスリーブに固定することによって、ケーブル類が抜けることを防止している。
【特許文献１】特開平１１−３２６０７１号公報
【特許文献２】特開平１１−１０２７４６号公報
【発明の開示】
【発明が解決しようとする課題】
【０００４】
しかしながら、特許文献１は、装置本体にフック等の抜け止め機構を設けたので、装置が大型化するという問題があった。また、特許文献２は、抜止具を別途、用意しなければならないという問題や、スリーブが隣接位置にない場合にケーブルを固定することができないという問題があった。
【０００５】
本発明はこのような事情に鑑みてなされたもので、デジタルカメラや携帯電話機等の携帯電子機器に取り付けられるストラップであって、携帯電子機器に接続したケーブルが携帯電子機器から抜けることを防止できるストラップを提供することを目的とする。
【課題を解決するための手段】
【０００６】
請求項１に記載の発明は前記目的を達成するために、携帯電子機器に取り付けられるストラップにおいて、前記携帯電子機器に接続されるケーブルの抜け止め部を有することを特徴とする。
【０００７】
請求項１の発明によれば、ケーブルの抜け止め部をストラップに設けたので、携帯電子機器からストラップが抜けることを防止できる。また、ケーブルの抜け止め部をストラップに設けたことによって、携帯電子機器には抜け止め手段を設ける必要がなくなり、携帯電子機器を小型化することができる。また、携帯電子機器に取り付けて携帯するストラップに、ケーブルの抜け止め部を設けたので、必要時にいつでもケーブルの抜け止め部を使用することができる。
【０００８】
請求項２に記載の発明は請求項１の発明において、前記抜け止め部は、前記ケーブルを挟持するホルダであることを特徴とする。したがって、請求項２に記載の発明によれば、ホルダでケーブルを挟持することによって、ケーブルが携帯電子機器から抜けることを防止できる。
【０００９】
請求項３に記載の発明は請求項２の発明において、前記ホルダは、前記ケーブルを複数本束ねた状態で挟持することを特徴とする。したがって、請求項３に記載の発明によれば、一本のケーブルを湾曲させてループ部を形成し、ケーブルの複数箇所をホルダで挟持することができる。これにより、ケーブルを引っ張った際にその引っ張り力を分散させることができ、ケーブルが携帯電子機器から抜けることをより確実に防止できる。また請求項３の発明によれば、複数本のケーブルを同時に抜け止めすることができる。
【００１０】
請求項４に記載の発明は請求項１の発明において、前記抜け止め部は、紐状或いはベルト状のストラップ本体によって狭窄可能に形成されたリング部であり、該リング部に前記ケーブルを挿通させて狭窄することによって前記ケーブルを保持することを特徴とする。
【００１１】
請求項５に記載の発明は請求項４に記載の発明において、前記ストラップ本体は、前記リング部の内側に前記ケーブルとの摩擦を増加する摩擦増加手段を設けたことを特徴とする。したがって、請求項５の発明によれば、ケーブルとリング部との摩擦が増加するので、ケーブルをより確実に抜け止めすることができる。なお、摩擦増加手段としては、例えば、リング部の内側にゴム等の弾性部材を貼り付けたり、或いはリング部の内側に凹凸を設けて摩擦抵抗を大きくしたりすることがあげられる。
【発明の効果】
【００１２】
本発明に係る携帯電子機器用のストラップによれば、ケーブルの抜け止め部を備えているので、携帯電子機器に接続されたケーブルが抜けることを防止することができる。
【発明を実施するための最良の形態】
【００１３】
以下添付図面に従って本発明に係る携帯電子機器用のストラップの好ましい実施形態について説明する。まず、本発明に係るストラップが取り付けられる携帯電子機器の実施例として、図１に示すデジタルカメラをあげて説明する。
【００１４】
図１は、カメラ１０の斜視図である。このカメラ１０は、静止画及び動画の記録再生機能を備えたデジタルカメラである。図１に示すようにカメラ１０の正面には、沈胴式の撮影レンズ１２、ファインダー窓１４、ストロボ調光センサ１６、ストロボ発光部１８、及び電源スイッチ２０が設けられる。電源スイッチ２０は、横方向にスライド自在に設けられ、この電源スイッチ２０をスライドさせることによって、電源のＯＮ／ＯＦＦが切り替えられる。撮影レンズ１２には、沈胴位置で開閉されるレンズカバー（不図示）が設けられている。
【００１５】
カメラ１０の上面にはシャッターボタン２２が設けられ、このシャッターボタン２２の半押し操作によってピント合わせが行われ、シャッターボタン２２の全押し操作によって撮影の実行が行われる。
【００１６】
カメラ１０の側面には、映像用ケーブル３４が接続されるビデオ端子２４と、電源アダプター３６が接続される電源入力端子２６と、ＵＳＢケーブル３８が接続されるコネクタ２８が設けられる。コネクタ２８は、不図示のクレードルとの接続端子として兼用される。また、カメラ１０の側面には、ストラップ取付部３０が設けられ、本発明に係るストラップ４０が係合できるようになっている。
【００１７】
図２は本発明に係るストラップの第１の実施形態を示す斜視図である。同図に示すように、ストラップは、ベルト状のストラップ本体４２を有し、このストラップ本体４２がカメラ１０のストラップ取付部３０に係合される。
【００１８】
ストラップ本体４２にはホルダ４４が取り付けられている。ホルダ４４は、ホルダ本体４６とこれに開閉自在に設けられた蓋部材４８とから成り、樹脂によって一体的に形成されている。ホルダ本体４６には係合突起４６Ａが形成され、蓋部材４８には、その係合突起４６Ａが係合される係合部材４８Ａが取り付けられている。したがって、蓋部材４８をホルダ本体４６に閉じた際に係合突起４６Ａと係合部材４８Ａが係合され、閉じた状態が保持される。
【００１９】
ホルダ本体４６の両側面の上部には、二つの半円を繋げた形状の溝４６Ｂが形成され、蓋部材４８の両側面の下部には、二つの半円を繋げた形状の溝４８Ｂが形成されている。したがって、蓋部材４８を閉じてホルダ本体４６に合わせることによって、溝４６Ｂ、４８Ｂが合わさり、二つの円を繋げた形状の開口部が形成される。この開口部の各円は、ＵＳＢケーブル３８の断面よりも若干小さい大きさで形成されており、この開口部にＵＳＢケーブル３８を配置することによって蓋部材４８とホルダ本体４６とで挟持できるようになっている。
【００２０】
上記の如く構成されたストラップ４０において、ＵＳＢケーブル３８の抜け止めを行う場合、まず、ホルダ４４の蓋部材４８を開く。そして、図２に示すようにＵＳＢケーブル３８を湾曲させて二本束ね、束ねた二本のＵＳＢケーブル３８をホルダ本体４６の溝４６Ｂに配置する。次いで、図３に示すように蓋部材４８を閉じて係合部材４８Ａを係合突起４６Ａに係合させる。これにより、ＵＳＢケーブル３８が蓋部材４８とホルダ本体４６とで挟持されて保持される。
【００２１】
この保持状態でＵＳＢケーブル３８が引っ張られると、その引っ張り力はホルダ４４、ストラップ本体４２を介してストラップ取付部３０に加わるので、ＵＳＢケーブル３８のコネクタ３９には伝わらない。したがって、ＵＳＢケーブル３８のコネクタ３９がカメラ１０のＵＳＢ端子２８から抜け落ちることを防止できる。
【００２２】
以上説明したように、本実施の形態のストラップ４０によれば、ホルダ４４を備えているので、ホルダ４４によってＵＳＢケーブル３８を保持することができ、ＵＳＢケーブル３８のコネクタ３９がカメラ１０のＵＳＢ端子２８から抜け落ちることを防止することができる。
【００２３】
また、本実施の形態によれば、カメラ１０に常時取り付けておくストラップ４０にホルダ４４を設けたので、ホルダ４４は、カメラ１０とともに常時携帯される。よって、必要に応じていつでもホルダ４４を使用することができる。
【００２４】
なお、上述した実施の形態は、ＵＳＢケーブル３８を二本束ねてホルダ４４で挟持するようにしたが、これに限定するものではなく、束ねずに一本を挟持したり、或いは三本を束ねて挟持するようにしてもよい。
【００２５】
図３は、本発明に係るストラップの第２の実施形態を示す斜視図である。同図に示すように、第２の実施形態のストラップ５０は、ベルト状のストラップ本体５２と、このストラップ本体５２に取り付けられた長さ調整部材５４と、ロック部材５６で構成されている。長さ調整部材５４は、金属或いは樹脂から成り、ストラップ本体５２が二本重ねた状態で挿通され、且つ、その挿通させたストラップ本体５２が長さ調整部材５４の内部で屈曲されることによって所望の摩擦力が得られるようになっている。このような長さ調整部材５４は、側面にストラップ本体５２が露出しており、その露出したストラップ本体５２を緩めることによってストラップ本体５２の長さを調節することができる。
【００２６】
一方、ロック部材５６には、ストラップ本体５２が二本重ねた状態で挿通されており、ストラップ本体５２に沿ってスライド自在に取り付けられている。ロック部材５６の上面は、長さ調整部材５４側の先端５６Ａが下方に湾曲されており、さらに、その先端５６Ａが波形に形成されている。
【００２７】
長さ調整部材５４とロック部材５６に二本のストラップ本体５２が挿通されているため、図４の如く長さ調整部材５４とロック部材５６との間隔を狭めると、二本のストラップ本体５２、５２によってリング部Ｘが形成される。このリング部Ｘの大きさは、ロック部材５６をストラップ本体５２に沿ってスライドさせることによって拡縮することができる。
【００２８】
上記の如く構成されたストラップ５０でＵＳＢケーブル３８の抜け止めを行う場合、まず、ストラップ５０のロック部材５６をストラップ本体５２に沿って、長さ調整部材５４から離れる方向にスライドさせる。次いで、ロック部材５６と長さ調整部材５４の間隔を狭めることによって、ストラップ本体５２でリング部Ｘを形成する。次に、カメラ１０に接続されたＵＳＢケーブル３８を湾曲させ、図４に示す如く、その湾曲部分をまとめてリング部Ｘに挿通させる。その後、ストラップ本体５２を持ってロック部材５６を長さ調整部材５４側にスライドさせ、リング部Ｘを狭窄する。これにより、ＵＳＢケーブル３８がリング部Ｘによって把持される。なお、リング部Ｘを狭窄した際、ＵＳＢケーブル３８自身の復元力によってリング状部材Ｘを広げようとするが、ロック部材５６の先端５６Ａが波形に形成されているため、ロック部材５６の先端５６Ａとリング部Ｘのストラップ本体５２とが摩擦係合し、リング部Ｘが広がることを防止する。よって、狭窄したリング部Ｘが広がることがなく、リング部ＸによってＵＳＢケーブル３８を把持した状態に保つことができる。また、リング部Ｘが狭窄した状態では、リング部Ｘに挿通されたＵＳＢケーブル３８は、円弧状に湾曲してループ部を形成した状態になっている。したがって、狭窄したリング部ＸからＵＳＢケーブル３８のループ部を引き抜くことができず、ＵＳＢケーブル３８を強固に把持することができる。
【００２９】
このように本実施の形態のストラップ５０によれば、ストラップ本体５２によって狭窄可能なリング部Ｘを形成し、このリング部ＸにＵＳＢケーブル３８を湾曲させて挿通させた後、リング部Ｘを狭窄するようにしたので、ＵＳＢケーブル３８を確実に把持することができる。よって、ＵＳＢケーブル３８を引き抜く方向に引っ張ると、その引っ張り力はリング部Ｘを介してストラップ取付部３０にかかる。よって、引っ張り力がコネクタ３９にかかることを防止することができ、ＵＳＢケーブル３８が抜け落ちることを防止することができる。
【００３０】
なお、上述した第２の実施形態は、ＵＳＢケーブル３８を湾曲してループ部を形成し、このループ部をリング部Ｘに挿通させるようにしたが、これに限定するものではなく、例えば、図５に示すように、ＵＳＢケーブル３８をそのまま束ねずにリング部Ｘに挿通させて把持するようにしてもよい。この場合、ＵＳＢケーブル３８のコネクタ３９をリング部Ｘに挿通させた後、カメラ１０に接続する。このようにしてもＵＳＢケーブル３８がカメラ１０から抜け落ちることを防止することができる。また、この場合には、ＵＳＢケーブル３８の太さが変わる部分を利用するとよい。例えば、ＵＳＢケーブル３８のコネクタ３９側を二重皮膜にして太く形成し、途中から細くなる場合、太さが変化する部分をリング部Ｘに係合させるとよい。
【００３１】
また、上述した第２の実施形態の場合には、ストラップ本体５２のリング部ＸとＵＳＢケーブル３８とが大きな摩擦力で係合するように構成することが好ましい。例えば、リング部Ｘを形成するストラップ本体５２の内周面側に、ゴム等の摩擦係数の高い素材を貼り付けるとよい。或いは、リング部Ｘを成すストラップ本体５２の内周面側に凹凸を形成するとよい。これにより、ＵＳＢケーブル３８がリング部Ｘから抜け落ちることを確実に防止することができる。
【００３２】
また、上述した第２の実施形態は、長さ調整部材５４とロック部材５６によってストラップ本体５２のリング部Ｘを形成したが、狭窄可能なリング部Ｘを形成するのであれば、上述した構成に限定されるものではない。例えば、長さ調整部材５４の側面から露出するストラップ本体５２を引っ張ってリング部を形成し、このリング部でＵＳＢケーブル３８を把持するようにしてもよい。
【００３３】
なお、上述した第１、第２の実施形態は、ストラップ４０、５０によってＵＳＢケーブル３８の抜け落ちを防止したが、抜け落ち防止するケーブルはこれに限定するものではなく、カメラ１０に接続されるケーブルであればよい。したがって、図１の映像用ケーブル３４や電源アダプター３６等、他のケーブル類をストラップ４０、５０によって抜け止めするようにしてもよい。
【００３４】
また、本発明に係るストラップ４０、５０が取り付けられる携帯電子機器はカメラ１０に限定されるものではなく、携帯電話等であってもよい。すなわち、ケーブル類が着脱自在に接続される携帯機具であればよい。
【図面の簡単な説明】
【００３５】
【図１】本発明に係るストラップが取り付けられるカメラ１０の斜視図
【図２】本発明に係るストラップの第１の実施形態を示す斜視図
【図３】図２のストラップでＵＳＢケーブルを保持した状態を示す斜視図
【図４】本発明に係るストラップの第２の実施形態を示す斜視図
【図５】図４と異なる使用方法を示す斜視図
【符号の説明】
【００３６】
１０…カメラ、１２…撮影レンズ、２０…電源スイッチ、２４…ビデオ端子、２６…電源入力端子、２８…コネクタ、３０…ストラップ取付部、３４…映像用ケーブル、３６…電源アダプター、３８…ＵＳＢケーブル、４０…ストラップ、４２…ストラップ本体、４４…ホルダ、４６…ホルダ本体、４８…蓋部材、５０…ストラップ、５２…ストラップ本体、５４…長さ調整部材、５６…ロック部材
【図１】
2006173308.tif 000003
【図２】
2006173308.tif 000004
【図３】
2006173308.tif 000005
【図４】
2006173308.tif 000006
【図５】
2006173308.tif 000007